(57)【要約】      （修正有）【課題】視野サイズを切り替えた際に、以前設定した視野位置を維持し得るＸ線診断装置を提供する。【解決手段】Ｘ線診断装置１は、Ｘ線管３ａと、Ｘ線可動絞り３ｂと、Ｘ線検出器４と、記憶部と、視野サイズ設定部と、調整部と、制御部とを備える。Ｘ線管は、Ｘ線を発生する。Ｘ線可動絞りは、発生されたＸ線の照射野を限定する。Ｘ線検出器は、Ｘ線検出領域を有する。記憶部は、Ｘ線の照射野に関する各々の視野サイズと、視野サイズに対応する視野をＸ線検出領域内に位置させるための各々の視野位置とを対応付けて記憶する。視野サイズ設定部は、各々の視野サイズのうちのいずれかの視野サイズを設定する。調整部は、設定された視野サイズに対応する視野位置を記憶部から読み出し、読み出した視野位置を操作者の操作に応じて調整する。制御部は、設定された視野サイズと、読み出した又は調整された最終の視野位置とに基づいて、Ｘ線可動絞りを制御する。【選択図】図１
2019005345.tif 000002
【特許請求の範囲】
【請求項１】
Ｘ線を発生するＸ線管と、
発生された前記Ｘ線の照射野を限定するＸ線可動絞りと、
前記Ｘ線を検出するＸ線検出領域を有するＸ線検出器と、
前記Ｘ線の照射野に関する各々の視野サイズと、前記視野サイズに対応する視野を前記Ｘ線検出領域内に位置させるための各々の視野位置とを対応付けて記憶する記憶部と、
前記各々の視野サイズのうちのいずれかの視野サイズを設定する視野サイズ設定部と、
前記設定された視野サイズに対応する視野位置を前記記憶部から読み出し、当該読み出した視野位置を操作者の操作に応じて調整する調整部と、
前記設定された視野サイズと、前記読み出した又は前記調整された最終の視野位置とに基づいて、前記Ｘ線可動絞りを制御する制御部と
を具備するＸ線診断装置。
【請求項２】
前記設定された視野サイズに対応付けて、前記調整された最終の視野位置を前記記憶部に書き込む書込部、を更に具備する、請求項１に記載のＸ線診断装置。
【請求項３】
前記書込部は、前記視野サイズ設定部による、前記設定された視野サイズとは異なる視野サイズへの切り替え設定を契機として、前記最終の視野位置を書き込む、請求項２に記載のＸ線診断装置。
【請求項４】
前記書込部は、前記記憶部に記憶された各々の視野位置のうち、特定の視野位置については、初期位置を予め設定する、請求項２に記載のＸ線診断装置。
【請求項５】
前記初期位置を、種々の検査に応じた解剖学的な位置関係に基づいて、前記記憶部に設定する初期位置設定部、を更に具備する、請求項４に記載のＸ線診断装置。
【請求項６】
前記初期位置を、前記Ｘ線検出領域の全面に対応する領域との位置関係に基づいて前記記憶部に設定する初期位置設定部、を更に具備する、請求項４に記載のＸ線診断装置。
【請求項７】
前記記憶部は、前記各々の視野サイズに関連するＸ線条件を、前記各々の視野サイズと前記各々の視野位置とに更に対応付けて記憶する、請求項１乃至請求項６のいずれか一項に記載のＸ線診断装置。
【請求項８】
前記記憶部は、所定の視野サイズと複数の視野位置とを対応付けて記憶し、
前記調整部は、前記所定の視野サイズが連続して設定される毎に、前記所定の視野サイズに対応する複数の視野位置のうちの１つを前記記憶部から巡回的に読み出す、請求項１乃至請求項７のいずれか一項に記載のＸ線診断装置。
【請求項９】
前記Ｘ線検出領域の全面に対応する参照画像であって、前記設定された視野サイズに対応する一つ以上の視野の位置を示す前記参照画像を生成する処理部
を更に具備する、請求項１乃至請求項８のいずれか一項に記載のＸ線診断装置。
【請求項１０】
前記処理部は、前記Ｘ線検出領域の全面に対応する視野サイズで予め取得されたＸ線画像を用い、当該Ｘ線画像上に、前記設定された視野サイズに対応する視野を表した一つ以上の枠線を重畳することによって前記参照画像を生成する、請求項９に記載のＸ線診断装置。
【請求項１１】
前記処理部は、設定中の視野サイズに対応する視野を表した枠線と、それ以外の枠線との線種を異ならせる処理を行う、請求項１０に記載のＸ線診断装置。
【発明の詳細な説明】
【技術分野】
【０００１】
本発明の実施形態は、Ｘ線診断装置に関する。
【背景技術】
【０００２】
現在、Ｘ線診断装置において、Ｘ線検出器の中心から外れた視野位置に視野を設定し、設定された視野を拡大して表示する技術がある。より詳しくは、Ｘ線診断装置は、視野サイズを設定した後に、視野位置を設定することによって視野を設定する。またこのようなＸ線診断装置は、視野サイズを切り替えることによって表示画像の拡大率を変更する機能をもっている。
【先行技術文献】
【特許文献】
【０００３】
【特許文献１】特開２０１１−２２４３３１号公報
【発明の概要】
【発明が解決しようとする課題】
【０００４】
しかしながら、以上のようなＸ線診断装置は、通常は特に問題ないが、本発明者の検討によれば、視野サイズを切り替えた際に、以前設定した視野位置が維持されない場合がある。例えば、Ｘ線検出器の中心から外れた視野位置に視野を設定し、狭い視野の拡大画像を表示中であるとする。このとき、広い視野の全体画像に視野サイズを切り替えると、Ｘ線検出器の中心を視野位置とした視野をもつ全体画像が表示される。このような全体画像の表示中に、再び拡大画像に視野サイズを切り替えると、全体画像の中心を視野位置とした拡大画像が表示される。このように、視野サイズを切り替えた際に、以前に設定した視野位置が維持されない場合がある。
【０００５】
目的は、視野サイズを切り替えた際に、以前設定した視野位置を維持し得るＸ線診断装置を提供することにある。
【課題を解決するための手段】
【０００６】
本実施形態に係るＸ線診断装置は、Ｘ線管と、Ｘ線可動絞りと、Ｘ線検出器と、記憶部と、視野サイズ設定部と、調整部と、制御部とを備える。Ｘ線管は、Ｘ線を発生する。Ｘ線可動絞りは、発生されたＸ線の照射野を限定する。Ｘ線検出器は、Ｘ線を検出するＸ線検出領域を有する。記憶部は、Ｘ線の照射野に関する各々の視野サイズと、視野サイズに対応する視野をＸ線検出領域内に位置させるための各々の視野位置とを対応付けて記憶する。視野サイズ設定部は、各々の視野サイズのうちのいずれかの視野サイズを設定する。調整部は、設定された視野サイズに対応する視野位置を記憶部から読み出し、読み出した視野位置を操作者の操作に応じて調整する。制御部は、設定された視野サイズと、読み出した又は調整された最終の視野位置とに基づいて、Ｘ線可動絞りを制御する。
【図面の簡単な説明】
【０００７】
【図１】第１の実施形態に係るＸ線診断装置の構成の一例を示すブロック図である。
【図２Ａ】同実施形態における記憶回路を説明するための模式図である。
【図２Ｂ】同実施形態における記憶回路を説明するための模式図である。
【図２Ｃ】同実施形態における記憶回路を説明するための模式図である。
【図３】同実施形態における制御回路の動作を説明するためのフローチャートである。
【図４】同実施形態における制御回路の動作を説明するための図である。
【図５Ａ】第２の実施形態に係る想定される内臓の位置と内視鏡の位置との関係を例示する図である。
【図５Ｂ】図５Ａに対応する基準点と視野位置との関係を例示する図である。
【図６】同実施形態における制御回路の動作を説明するためのフローチャートである。
【図７】同実施形態における制御回路の動作を説明するための別の図である。
【図８】第３の実施形態に係る参照画像を例示する図である。
【図９】同実施形態における表示ウィンドウを例示する図である。
【図１０】同実施形態における制御回路の動作を説明するためのフローチャートである。
【発明を実施するための形態】
【０００８】
以下、図面を参照しながら各実施形態について説明する。各実施形態では、解説済みの要素と同一または類似の要素には同一または類似の符号を付して重複する説明を省略し未解説の要素について主に述べる。
【０００９】
（第１の実施形態）
図１は、第１の実施形態に係るＸ線診断装置１の構成例を示すブロック図である。Ｘ線診断装置１は、Ｘ線高電圧装置２と、Ｘ線源装置３、Ｘ線検出器４、サポートフレーム５、および天板６を有する寝台と、画像発生回路７と、通信インタフェース回路８と、入力インタフェース回路９と、制御回路１０と、処理回路１１と、記憶回路１２と、表示回路１３とを備える。また、Ｘ線源装置３は、Ｘ線管３ａと、Ｘ線可動絞り３ｂとを備える。尚、Ｘ線診断装置１は、例えば、消化管造影検査などで用いられるＸ線透視診断装置に相当する。また、Ｘ線診断装置１は、例えば、血管造影検査などで用いられる循環器用Ｘ線透視診断装置などでもよい。
【００１０】
Ｘ線高電圧装置２は、Ｘ線管３ａに印加する管電流と、Ｘ線管３ａに印加する管電圧とを発生する。Ｘ線高電圧装置２は、制御回路１０による制御のもとで、Ｘ線撮影およびＸ線透視にそれぞれ適した管電流をＸ線管３ａに印加し、Ｘ線撮影およびＸ線透視にそれぞれ適した管電圧をＸ線管３ａに印加する。尚、Ｘ線高電圧装置２は、例えば、インバータ制御方式の高電圧装置に相当する。
【００１１】
Ｘ線管３ａは、Ｘ線高電圧装置２から印加された管電流と、Ｘ線高電圧装置２から印加された管電圧とに基づいてＸ線を発生する。Ｘ線管３ａによって発生されたＸ線は、被検体Ｐに照射される。尚、Ｘ線管３ａは、例えば、回転陽極型のＸ線管に相当する。また、Ｘ線管３ａは、例えば、固定陽極型のＸ線管などでもよい。
【００１２】
以降、Ｘ線の照射方向の中心軸をＺ軸とする。また、Ｚ軸に垂直であって、天板６の長手方向の軸をＹ軸とし、Ｚ軸とＹ軸とに垂直な軸をＸ軸とする。
【００１３】
Ｘ線可動絞り３ｂは、Ｘ線管３ａによって発生されたＸ線の照射野を限定する。Ｘ線可動絞り３ｂは、Ｘ線の照射野を限定することによって、操作者が所望する被検体Ｐの撮影部位（或いは、撮影範囲）にだけＸ線を照射することができる。即ち、Ｘ線可動絞り３ｂは、撮影部位（或いは、撮影範囲）とは異なる部位（或いは、範囲）に対して、不要な被曝をさせないようにすることができる。また、Ｘ線可動絞り３ｂは、散乱Ｘ線の低減および焦点外Ｘ線の除去ができる。以降、「Ｘ線の照射野を限定する」という文言は、「Ｘ線を遮へいする」および「Ｘ線を絞る」という文言と相互に読み替えられてもよい。
【００１４】
また、Ｘ線可動絞り３ｂは、図示しない絞り機構を有する。絞り機構は、例えば、Ｘ軸方向に広がるＸ線を絞る一対の絞り羽根と、Ｙ軸方向に広がるＸ線を絞る一対の絞り羽根とを有する。尚、絞り機構は、各々の絞り羽根を非対称に制御してもよく、各対の絞り羽根を対称に制御してもよい。例えば、絞り機構は、全ての絞り羽根がそれぞれ独立して動く機構であってもよいし、二つの対になった絞り羽根が、それぞれ左右対称、上下対称に動く機構であってもよい。また、絞り機構は、上述した４枚の絞り羽根をＺ軸方向に複数設けることによって多層構造にしてもよい。
【００１５】
Ｘ線検出器４は、Ｘ線管３ａから発生され、被検体Ｐを透過したＸ線を検出する。Ｘ線検出器４は、例えば、Ｘ線を検出することができるフラットパネルディテクタ（Ｆｌａｔ  Ｐａｎｅｌ  Ｄｅｔｅｃｔｏｒ：ＦＰＤ）を備える。ＦＰＤは、複数の半導体検出素子を有する。半導体検出素子には、間接変換形と直接変換形とがある。間接変換形とは、入射Ｘ線を蛍光体などのシンチレータによって光に変換し、変換された光を電気信号に変換する形式である。直接変換形とは、入射Ｘ線を直接的に電気信号に変換する形式である。尚、Ｘ線検出器４として、イメージインテンシファイア（Ｉｍａｇｅｉｎｔｅｎｓｉｆｉｅｒ）が用いられてもよい。また、本明細書では、Ｘ線検出器４におけるＸ線を検出可能な範囲を「Ｘ線検出領域」と呼ぶ。
【００１６】
Ｘ線の入射に伴って複数の半導体検出素子で発生された電気信号は、図示しないアナログディジタル変換器（Ａｎａｌｏｇ  ｔｏ  Ｄｉｇｉｔａｌ  ｃｏｎｖｅｒｔｅｒ：Ａ／Ｄ変換器）に出力される。Ａ／Ｄ変換器は、電気信号をディジタルデータに変換する。Ａ／Ｄ変換器は、ディジタルデータを、画像発生回路７に出力する。
【００１７】
本明細書では、例えば、照射野の大きい順に、４種類の視野サイズの視野をノーマル（Ｎｏｒｍａｌ）視野Ｎ０、広視野Ｍ１、中視野Ｍ２、狭視野Ｍ３として定義する。ノーマル視野Ｎ０は、例えば、Ｘ線検出領域の全面からＸ線を検出可能な照射野に関連する。また、広視野Ｍ１は、ノーマル視野Ｎ０の照射野よりも狭い照射野に関連する。中視野Ｍ２は、広視野Ｍ１の照射野よりも狭い照射野に関連する。狭視野Ｍ３は、中視野Ｍ２の照射野よりも狭い照射野に関連する。尚、視野サイズは、照射野の大きさに関連しているため、「視野サイズが広がる」ことは「照射野が広がる」ことに関連する。
【００１８】
各視野サイズに対応するＸ線画像は、後述するディスプレイの表示ウィンドウに合うように（例えば、拡大されて）表示される。具体的には、広視野Ｍ１による表示は、ノーマル視野Ｎ０による表示よりも拡大されて表示される。よって、視野サイズを切り替えることは、表示ウィンドウに表示される画像の倍率を切り替えることと同義である。また、各視野Ｎ０〜Ｍ３を拡大率の大きい順に並べると、Ｍ３、Ｍ２、Ｍ１、およびＮ０となる。
【００１９】
サポートフレーム５は、互いに対向配置されたＸ線源装置３およびＸ線検出器４を移動可能に支持する。具体的には、サポートフレーム５は、天板６の面に対して上方にＸ線源装置３が設置されるオーバーチューブ方式のフレームに相当する。尚、サポートフレーム５は、天板６の面に対して下方にＸ線源装置３が設置されるアンダーチューブ方式のフレームが用いられてもよい。また、サポートフレーム５は、ＣアームおよびΩアームによる構造が用いられてもよい。さらに、サポートフレーム５は、Ｘ線源装置３およびＸ線検出器４をそれぞれ独立に支持する２つのアーム（例えばロボットアームなど）による構造が用いられてもよい。
【００２０】
図示しない寝台は、被検体Ｐが載置される天板６（臥位テーブルとも言う）を有する。天板６には、被検体Ｐが載置される。
【００２１】
図示しない駆動装置は、例えば、制御回路１０の制御によって、サポートフレーム５と寝台とをそれぞれ駆動する。Ｘ線透視時およびＸ線撮影時においては、Ｘ線源装置３とＸ線検出器４との間に、天板６に載置された被検体Ｐが配置される。また、駆動装置は、例えば、制御回路１０の制御によって、Ｘ線可動絞り３ｂを駆動する。尚、駆動装置は、制御回路１０の制御のもとで、Ｘ線源装置３に対してＸ線検出器４を回転させてもよい。
【００２２】
画像発生回路７は、Ｘ線検出器４からＡ／Ｄ変換器を介して出力されたディジタルデータに基づいてＸ線画像を発生する。画像発生回路７は、発生したＸ線画像を処理回路１１、記憶回路１２、および外部記憶装置（図示せず）などに出力する。
【００２３】
通信インタフェース回路８は、例えば、ネットワークおよび図示しない外部記憶装置に関する回路である。Ｘ線診断装置１によって得られたＸ線画像などは、通信インタフェース回路８およびネットワークを介して他の装置に転送可能である。尚、以降、通信インタフェース回路８を介して情報がやりとりされる場合には、「通信インタフェース回路８を介して」という記載を省略する。
【００２４】
入力インタフェース回路９は、操作者が所望するＸ線撮影の撮影条件およびＸ線透視の透視条件などのＸ線条件、透視・撮影位置、照射野、およびＸ線画像における関心領域（ｒｅｇｉｏｎ  ｏｆ  ｉｎｔｅｒｅｓｔ：ＲＯＩ）などを、操作者の指示により入力する。具体的には、入力インタフェース回路９は、操作者からの各種指示、命令、情報、選択、および設定を、Ｘ線診断装置１に取り込む。
【００２５】
入力インタフェース回路９は、関心領域の設定などを行うためのジョイスティック、トラックボール、スイッチボタン、マウス、キーボード、操作面へ触れることで入力操作を行うタッチパッド、表示画面とタッチパッドとが一体化されたタッチパネルディスプレイ、撮影用のフットスイッチ、および音声認識用のマイクなどにより実現される。入力インタフェース回路９は、制御回路１０に接続されており、操作者から受け取った入力操作を電気信号へ変換し制御回路１０へと出力する。
【００２６】
本明細書において、入力インタフェース回路９は、マウスおよびキーボードなどの物理的な操作部品を備えるものだけに限られない。例えば、装置とは別体に設けられた外部の入力機器から入力操作に対応する電気信号を受け取り、この電気信号を制御回路１０へ出力する電気信号の処理回路も入力インタフェース回路９の例に含まれる。
【００２７】
制御回路１０は、例えば、Ｘ線診断装置１における各回路および駆動装置などを制御するプロセッサである。制御回路１０は、入力インタフェース回路９から入力された操作者の指示などの情報を、図示しないメモリに一時的に記憶する。制御回路１０は、メモリに記憶された操作者の指示などに従って、Ｘ線撮影およびＸ線透視を実行するために、Ｘ線高電圧装置２、Ｘ線可動絞り３ｂ、および駆動装置などを制御する。また、制御回路１０は、画像発生回路７におけるＸ線画像発生処理および処理回路１１における参照画像生成処理などを制御する。
【００２８】
制御回路１０は、例えば、Ｘ線診断装置１における各回路および駆動装置などを制御するプロセッサである。制御回路１０は、入力インタフェース回路９から入力された操作者の指示などの情報を、図示しないメモリに一時的に記憶する。制御回路１０は、メモリに記憶された操作者の指示などに従って、Ｘ線撮影およびＸ線透視を実行するために、Ｘ線高電圧装置２、Ｘ線可動絞り３ｂ、および駆動装置などを制御する。また、制御回路１０は、画像発生回路７におけるＸ線画像発生処理および処理回路１１における参照画像生成処理などを制御する。
【００２９】
さらに、制御回路１０は、メモリに記憶された操作者の指示などに従って、視野サイズおよび視野位置に関する設定および制御を行うための各機能を実行する。上記各機能は、例えば、視野サイズ設定機能１０ａ、視野位置設定機能１０ｂ、絞り制御機能１０ｃ、視野位置書込機能１０ｄ、および視野位置復元機能１０ｅなどがある。
【００３０】
視野サイズ設定機能１０ａは、操作者の操作によって、Ｘ線の照射野に関する複数の視野サイズのいずれかを設定する。具体的には、例えば、視野サイズ設定機能１０ａは、Ｘ線の照射野に関する複数の視野サイズのうちの第１の視野サイズ（例えば、広視野Ｍ１に対応）を設定する。このとき操作者は、例えば、入力インタフェース回路９のスイッチボタンを操作することによって、任意の視野サイズ（或いは、任意の拡大率）を選択する。尚、選択方法として、タッチパネルをタッチして選択する方法や、音声認識によって選択する方法が用いられてもよい。
【００３１】
視野位置設定機能１０ｂは、操作者の操作によって、視野位置を設定する。具体的には、例えば、視野位置設定機能１０ｂは、視野サイズ設定機能１０ａにより設定された第１の視野サイズに対応する第１の視野を、Ｘ線検出器４のＸ線検出領域内の第１の視野位置に設定する。このとき、操作者は、例えば、入力インタフェース回路９のジョイスティックを操作することによって、所望の位置へ視野を移動させる。換言すると、視野位置設定機能１０ｂは、視野サイズ設定機能１０ａにより設定された視野サイズに対応する視野位置を記憶回路１２から読み出し、当該読み出した視野位置を操作者の操作に応じて調整する機能をもっている。本明細書における「視野」は、後述するディスプレイに表示される画像と同義である。本明細書における「視野位置」は、視野がＸ線検出領域内に収まる任意の位置である。
【００３２】
なお、視野サイズおよび視野位置の設定は、操作者の操作によって、後述する処理回路１１で生成される参照画像を用いて行われてもよい。操作者は、例えば、ディスプレイに表示された参照画像から所望の範囲（或いは、位置）を選択し、当該所望の範囲を中心とした任意の視野サイズを選択することで、視野サイズおよび視野位置を同時に設定することができる。
【００３３】
絞り制御機能１０ｃは、視野位置設定機能１０ｂにより視野位置の視野に基づいて、Ｘ線可動絞り３ｂを制御する。具体的には、例えば、絞り制御機能１０ｃは、視野位置設定機能１０ｂにより設定された第１の視野位置の第１の視野に基づいて、Ｘ線可動絞り３ｂを制御する。詳しくは、絞り制御機能１０ｃは、視野サイズ設定機能１０ａにより設定された視野サイズと、視野位置設定機能１０ｂにより読み出した又は調整された最終の視野位置とに基づいて、Ｘ線可動絞り３ｂを制御する。
【００３４】
視野位置書込機能１０ｄは、設定された視野サイズに対応付けて、当該調整された最終の視野位置を対応付けて記憶回路１２などに書き込む。具体的には、例えば、視野位置書込機能１０ｄは、視野サイズ設定機能１０ａによる、設定された第１の視野サイズとは異なる第２の視野サイズ（例えば、中視野Ｍ２に対応）への切り替え設定を契機として、当該最終の視野位置を書き込む。但し、視野位置を書き込む時点は、視野サイズの切り替え設定の時点に限らず、視野位置を調整した時点でもよい。なお、本明細書中、第２の視野サイズは、中視野Ｍ２の視野サイズに限らず、ノーマル視野Ｎ０、広視野Ｍ１、および狭視野Ｍ３のいずれの視野に対応する視野サイズとしてもよい。同様に、第１の視野サイズは、第２の視野サイズとは異なる視野サイズであればよい。
【００３５】
また、視野位置書込機能１０ｄは、視野サイズに関連するＸ線条件を、当該視野サイズと視野位置とに更に対応付けて記憶回路１２などに書き込んでもよい。具体的には、例えば、Ｘ線条件を直接書き込んでもよく、Ｘ線条件を設定した条件テーブルの識別情報を当該Ｘ線条件として書き込んでもよい。
【００３６】
視野位置復元機能１０ｅは、視野サイズ設定機能１０ａによって過去に選択された視野サイズが再設定されたことを契機として、記憶回路１２などから当該視野サイズに対応付けられた視野位置を読み出す。これにより、視野位置復元機能１０ｅは、過去に選択された視野サイズに対応する過去の視野位置を復元する。
【００３７】
処理回路１１は、ハードウェア資源として、プロセッサおよびメモリを備える。処理回路１１は、操作者により入力インタフェース回路９を介して入力された開始指示に応じて、記憶回路１２に記憶された制御プログラムを読み出す。処理回路１１は、読み出した制御プログラムに従って、画像発生回路７により発生したＸ線画像をディスプレイに表示するための画像処理を実行する。画像処理として、例えば、Ｘ線が照射された範囲だけの画像を切り出し、切り出した画像をディスプレイの表示領域に拡大する処理などがある。
【００３８】
さらに、処理回路１１は、Ｘ線検出領域（ノーマル視野）に対する設定された視野サイズの位置を示す参照画像を生成してもよい。具体的には、処理回路１１は、例えば、ノーマル視野で予め取得されたＸ線画像（或いは、透視画像から取得した静止画像）を用い、当該画像上に、視野サイズを表した枠線を重畳することによって参照画像を生成する。尚、参照画像は、取得したＸ線画像が無い場合には、Ｘ線画像の代わりにＸ線検出領域（ノーマル視野）の外枠を示す枠線を表示させてもよい。
【００３９】
記憶回路１２は、ＨＤＤ（Ｈａｒｄ  Ｄｉｓｋ  Ｄｒｉｖｅ）などの電気的情報を記録するメモリと、それらメモリに付随するメモリコントローラやメモリインタフェースなどの周辺回路から構成される。メモリとしては、ＨＤＤに限らず、ＳＳＤ（ソリッドステートドライブ）、磁気ディスク（フロッピー（登録商標）ディスク、ハードディスクなど）、光ディスク（ＣＤ、ＤＶＤ、Ｂｌｕ−ｒａｙ（登録商標）など）、および半導体メモリなどが適宜、使用可能となっている。
【００４０】
また、記憶回路１２は、画像発生回路７で発生された種々のＸ線画像、制御回路１０から送られてくる視野サイズと視野位置とを対応付けた情報、処理回路１１で処理された参照画像、Ｘ線診断装置１のシステム制御プログラム、制御回路１０において実行される診断プロトコル、入力インタフェース回路９から送られてくる操作者の指示、Ｘ線撮影に関する撮影条件およびＸ線透視に関する透視条件などの各種データ群、エラー情報、およびネットワークを介して送られてくる種々のデータなどを記憶する。
【００４１】
ここで、記憶回路１２の記憶内容のうち、視野サイズと視野位置とを対応付けた情報について図２Ａ乃至図２Ｃを用いて説明する。記憶回路１２は、図２Ａに示すように、Ｘ線の照射野に関する各々の視野サイズと、視野サイズに対応する視野をＸ線検出領域内に位置させるための各々の視野位置とを対応付けて記憶する。
【００４２】
図２Ａ中、視野サイズの値「Ｎ０」は、ノーマル視野Ｎ０の視野サイズを表す。視野サイズの値「Ｍ１」は、広視野Ｍ１，Ｍ１ａ，Ｍ１ｐの視野サイズを表す。なお、広視野Ｍ１，Ｍ１ａ，Ｍ１ｐは、互いに拡大率が等しい視野であるため、視野サイズの値「Ｍ１」も互いに等しい。視野サイズの値「Ｍ２」は、中視野Ｍ２，Ｍ２ａ，Ｍ２ｂ，Ｍ２ｃの視野サイズを表す。中視野Ｍ２，Ｍ２ａ，Ｍ２ｂ，Ｍ２ｃは、互いに拡大率が等しい視野であるため、視野サイズの値「Ｍ２」も互いに等しい。視野サイズの値「Ｍ３」は、狭視野Ｍ３の視野サイズを表す。図２Ａ中、視野位置の値は、視野位置に対応する視野の中心位置を示すｘｙ座標の値である。
【００４３】
なお、記憶回路１２は、図２Ｂに示すように、各々の視野サイズに関連するＸ線条件ＸＣ０，…，ＸＣ３を、当該各々の視野サイズと当該各々の視野位置とに更に対応付けて記憶してもよい。図２Ｂ中、Ｘ線条件の値「ＸＣ０」、…、「ＸＣ３」は、例えば、Ｘ線条件を設定した４つの条件テーブル（図示せず）の識別情報である。但し、これに限らず、図示した値「ＸＣ０」、…、「ＸＣ３」は、それぞれ管電圧、管電流といったＸ線条件を表す値としてもよい。また、記憶回路１２は、図２Ｃに示すように、所定の視野サイズと複数の視野位置とを対応付けて記憶してもよい。あるいは、記憶回路１２は、所定の視野サイズと複数の視野位置とＸ線条件とを対応付けて記憶してもよい（図示せず）。
【００４４】
表示回路１３は、医用画像などを表示するディスプレイ、当該ディスプレイに表示用の信号を供給する内部回路、およびディスプレイと内部回路とをつなぐコネクタやケーブルなどの周辺回路から構成される。
【００４５】
ディスプレイは、画像発生回路７によって発生されたＸ線画像（撮影画像または透視画像）、或いは処理回路１１で処理された参照画像を表示する。ディスプレイは、ディスプレイの全面を、表示ウィンドウとしてもよいし、ディスプレイの一部を表示ウィンドウとしてもよいし、その両方を切り替えられるようにしてもよい。また、ディスプレイは、Ｘ線画像と参照画像とを並べて表示ウィンドウに表示させてもよい。尚、ディスプレイは、透視・撮影位置、Ｘ線条件などの入力に関する入力画面を更に表示してもよい。また、ディスプレイは、例えば、Ｘ線画像と入力画面とを並べて表示ウィンドウに表示してもよいし、Ｘ線画像と参照画像と入力画面とを並べて表示ウィンドウに表示してもよい。
【００４６】
次に、以上のように構成されたＸ線診断装置１の動作について、図３のフローチャートおよび図４の表示画像などを用いて説明する。以下の説明は、主に、制御回路１０による視野サイズおよび視野位置に関する設定および制御について述べる。
【００４７】
始めに、寝台の天板６の上に被検体Ｐが載置される。Ｘ線診断装置１は、操作者の操作により、予め設定された検査種別および検査名が選択され、選択された検査種別および検査名に対応付けられた透視条件（Ｘ線条件）を設定する。その後、Ｘ線診断装置１は、操作者の操作により、ノーマル視野Ｎ０でＸ線透視を開始する。すなわち、Ｘ線管３ａがＸ線を発生し、絞り制御機能１０ｃが、ノーマル視野Ｎ０の視野サイズおよび視野位置に基づいて、Ｘ線可動絞り３ｂを制御し、Ｘ線の照射野を限定する。限定された照射野のＸ線は、被検体Ｐを透過してＸ線検出器４に検出される。画像発生回路７は、Ｘ線検出器４の出力に基づいてＸ線画像を生成する。表示回路１３は、ノーマル視野Ｎ０のＸ線画像を表示する。しかる後、ステップＳＴ１１を開始する。
【００４８】
ステップＳＴ１１において、視野サイズ設定機能１０ａは、操作者の操作により、視野サイズを第１の視野サイズに設定する。このとき、操作者は、例えば、入力インタフェース回路９のスイッチボタンを操作することによって、任意の視野サイズ（或いは、任意の拡大率）を選択する。尚、視野サイズの選択は、視野サイズの切り替えと呼んでもよい。
【００４９】
具体的には、図４（ａ）に例示されるように、視野サイズ設定機能１０ａは、開始時のノーマル視野Ｎ０の視野サイズとは異なる広視野Ｍ１の視野サイズを設定する。絞り制御機能１０ｃは、視野サイズおよび視野位置に基づいて、Ｘ線可動絞り３ｂを制御する。このとき、広視野Ｍ１の表示画像２１は、ノーマル視野Ｎ０による画像の中心に向かって拡大した画像となる。これは、Ｘ線透視の開始後、初めて第１の視野サイズを設定する場合には、第１の視野サイズに対応する視野位置が記憶回路１２に記憶されていないためである。
【００５０】
ステップＳＴ１２において、視野位置設定機能１０ｂは、操作者の操作により、適宜、調整した視野位置を第１の視野位置に設定する。このとき、操作者は、例えば、入力インタフェース回路９のジョイスティックを操作することによって、所望の位置（関心領域）へ広視野Ｍ１を移動させる。
【００５１】
具体的には、図４（ｂ）に例示されるように、視野位置設定機能１０ｂは、広視野Ｍ１の視野位置を適宜、調整して広視野Ｍ１ａの視野位置を設定する。絞り制御機能１０ｃは、視野サイズと、調整した視野位置とに基づいて、Ｘ線可動絞り３ｂを制御する。このとき、広視野Ｍ１ａの表示画像２２は、広視野Ｍ１の表示画像２１の拡大率を維持したまま、視野位置が移動した画像となる。
【００５２】
ステップＳＴ１３において、視野サイズ設定機能１０ａは、操作者の操作により、視野サイズを第２の視野サイズに設定する。
【００５３】
具体的には、図４（ｃ）に例示されるように、視野サイズ設定機能１０ａは、広視野Ｍ１ａの視野サイズとは異なる中視野Ｍ２の視野サイズを設定する。絞り制御機能１０ｃは、視野サイズおよび視野位置に基づいて、Ｘ線可動絞り３ｂを制御する。このとき、中視野Ｍ２の表示画像２３は、広視野Ｍ１ａの表示画像２２の中心に向かって拡大した画像となる。これは、前述同様に、初めて第２の視野サイズを設定する場合には、第２の視野サイズに対応する視野位置が記憶回路１２に記憶されていないためである。
【００５４】
ステップＳＴ１４において、視野位置書込機能１０ｄは、視野サイズ設定機能１０ａによる、第１の視野サイズから第２の視野サイズへの切り替え設定を契機として、第１の視野サイズに対応付けて、切り替え設定前の第１の視野位置を記憶回路１２などへ記憶する。
【００５５】
ステップＳＴ１５において、視野位置設定機能１０ｂは、操作者の操作により、適宜、調整した視野位置を第２の視野位置に設定する。
【００５６】
具体的には、図４（ｄ）に例示されるように、視野位置設定機能１０ｂは、中視野Ｍ２の視野位置を適宜、調整して中視野Ｍ２ａの視野位置を設定する。絞り制御機能１０ｃは、視野サイズと、調整した視野位置とに基づいて、Ｘ線可動絞り３ｂを制御する。このとき、中視野Ｍ２ａの表示画像２４は、中視野Ｍ２の表示画像２３の拡大率を維持したまま、視野位置が移動した画像となる。
【００５７】
ステップＳＴ１６において、視野サイズ設定機能１０ａは、操作者の操作により、視野サイズを第１の視野サイズに再設定する。
【００５８】
ステップＳＴ１７において、視野位置復元機能１０ｅは、視野サイズ設定機能１０ａによる、第１の視野サイズの再設定を契機として、第１の視野サイズに対応付けられた第１の視野位置を記憶回路１２から読み出す。これにより、視野位置復元機能１０ｅは、第１の視野位置を復元する。
【００５９】
具体的には、図４（ｅ）に例示されるように、視野位置復元機能１０ｅは、広視野Ｍ１ａの視野サイズの再設定を契機として、広視野Ｍ１ａの視野サイズに対応する視野位置を読み出す。これにより、広視野Ｍ１ａの視野位置を設定（復元）する。絞り制御機能１０ｃは、視野サイズと、復元した視野位置とに基づいて、Ｘ線可動絞り３ｂを制御する。このとき、復元した視野位置をもつ広視野Ｍ１ａの表示画像２５は、ステップＳＴ１４で記憶した視野位置をもつ広視野Ｍ１ａの表示画像２２と略同様の画像となる。尚、略同様の画像とは、視野サイズおよび視野位置が略一致している状態で透視（或いは、撮影）された画像を示し、被検体Ｐの動作などに起因する表示画像自体の変化については考慮しないものとする。
【００６０】
ステップＳＴ１８において、視野位置書込機能１０ｄは、視野サイズ設定機能１０ａによる、第２の視野サイズから第１の視野サイズに切り替える再設定を契機として、第２の視野サイズに対応付けて、再設定前の第２の視野位置を記憶回路１２などへ記憶する。
【００６１】
以上説明したように第１の実施形態によれば、Ｘ線診断装置は、Ｘ線の照射野に関する各々の視野サイズと、視野サイズに対応する視野をＸ線検出領域内に位置させるための各々の視野位置とを対応付けて記憶する記憶部を備える。また、Ｘ線診断装置は、各々の視野サイズのうちのいずれかの視野サイズを設定する。また、Ｘ線診断装置は、設定された第１の視野サイズに対応する視野位置を記憶部から読み出し、当該読み出した視野位置を操作者の操作に応じて調整する。そして、Ｘ線診断装置は、設定された視野サイズと、上記読み出した又は上記調整された最終の視野位置とに基づいて、Ｘ線可動絞りを制御する。
【００６２】
従って、設定した視野サイズと、この視野サイズに対応して読み出した視野位置とに基づいてＸ線可動絞りを制御できる構成により、視野サイズを切り替えた際に、以前設定した視野位置を維持することができる。
【００６３】
これに加え、第１の実施形態によれば、設定された視野サイズに対応付けて、調整された最終の視野位置を記憶部に書き込む。例えば、設定された視野サイズとは異なる視野サイズへの切り替え設定を契機として、最終の視野位置を書き込む。従って、Ｘ線診断装置は、視野サイズの切り替え設定を契機として、切り替え前の視野サイズと視野位置とを対応付けて記憶させることができるため、視野サイズを切り替えた際においても、以前設定した視野位置を維持することができる。これにより、視野サイズを切り替える度に発生する可能性のある視野位置の設定を省略することができ、作業効率の向上や不要被曝の低減が見込まれる。これは、視野位置を調整した時点で書き込む場合も同様である。
【００６４】
また、第１の実施形態によれば、Ｘ線診断装置は、第１の視野サイズの再設定を契機として、第１の視野サイズに対応付けられた第１の視野位置を復元することにより、以前設定した視野位置を再利用することができる。
【００６５】
また、第１の実施形態によれば、Ｘ線診断装置は、図２Ｂに示したように、各々の視野サイズに関連するＸ線条件を、各々の視野サイズと各々の視野位置とに更に対応付けて記憶してもよい。具体的には、切り替え前の視野サイズに対応する視野位置を記憶回路１２に書き込む際に、切り替え前のＸ線条件も切り替え前の視野サイズに対応付けて記憶回路１２に書き込めばよい。この場合には、視野サイズに応じた視野位置およびＸ線条件を復元できるため、視野サイズごとに適切なＸ線条件を設定（復元）でき、安定したＸ線画像（撮影画像または透視画像）を得ることができる。なお、Ｘ線診断装置は、視野サイズに対応して記憶したＸ線条件を設定（使用）する前に、このＸ線条件の設定の許可を操作者に促すメッセージを画面表示してもよい。
【００６６】
（第２の実施形態）
次に、第２の実施形態に係るＸ線診断装置について説明する。  
第２の実施形態は、第１の実施形態の変形例であり、記憶回路１２に記憶された各々の視野位置のうち、特定の視野位置については、初期位置を予め設定する構成となっている。なお、初期位置は、プリセット位置と呼んでもよい。
【００６７】
ここで、視野サイズ設定機能１０ａは、操作者の操作によって、Ｘ線の照射野に関する複数の視野サイズのいずれかを設定する。更に、視野サイズ設定機能１０ａは、設定した視野サイズの情報を視野位置復元機能１０ｅへと出力する。
【００６８】
視野位置復元機能１０ｅは、視野サイズ設定機能１０ａから受けた視野サイズの情報を用いて、当該視野サイズに予め対応付けられた特定の視野位置の初期位置が記憶回路１２に存在するか否かを判定する。初期位置が存在する場合には、視野位置復元機能１０ｅは、受けた視野サイズに対応付けられた特定の視野位置の初期位置を復元し、そうでなければ操作者の操作があるまで待機する。換言すると、視野位置復元機能１０ｅは、受けた視野サイズ（例えば、第１の視野サイズ）に予め特定の視野位置の初期位置が対応付けられている場合に、視野サイズ設定機能１０ａによる、第１の視野サイズに対応付けられた特定の視野位置を復元する。
【００６９】
ここで、ある視野サイズに対応付けられた特定の視野位置に初期位置を設定するプリセット方法について述べる。なお、プリセット方法は、例えば、プリセット方法を実行するプリセット機能を処理回路１１（または制御回路１０）が含んでいればよい。例えば、プリセット方法は、プリセット機能を実現するプログラムを記憶回路１２に記憶しておき、処理回路１１（または制御回路１０）が当該プログラムを読み出して実行することにより実現可能となっている。
【００７０】
ここで、第１のプリセット方法は、特定の視野位置の初期位置を、例えば、操作者の操作によって、種々の検査に応じた解剖学的な位置関係に基づいて、記憶回路１２に設定する方式である。検査としては、図５Ａに例示される、内視鏡逆行性膵胆管造影法（Ｅｎｄｏｓｃｏｐｉｃ  Ｒｅｔｒｏｇｒａｄｅ  ＣｈｏｌａｎｇｉｏＰａｎｃｒｅａｔｏｇｒａｐｈｙ：ＥＲＣＰ）による検査が想定される。
【００７１】
ＥＲＣＰの検査において、操作者は、被検体Ｐの口から十二指腸まで内視鏡Ｅを挿入し、内視鏡Ｅの先端部をファーター乳頭ｐＶの付近に留める。次に、操作者は、ノーマル視野でＸ線透視を開始させ、所定の線源受像面間距離（Ｓｏｕｒｃｅ  Ｉｍａｇｅ  Ｄｉｓｔａｎｃｅ：ＳＩＤ）となるようにＸ線源装置３を移動させ、内視鏡Ｅの先端が図５Ｂに例示される参照画像４１の基準マーカＣＲに位置する場所までＸ線源装置３を移動させる。以上の操作は、設定のための位置決めである。
【００７２】
位置決めが完了した後に、例えば、処理回路１１は、ファーター乳頭ｐＶを基準とした解剖学的な位置関係から特定の視野位置を算出する。具体的には、処理回路１１は、例えば、ノーマル視野における基準マーカＣＲの位置とＳＩＤとを用いて、胆嚢を関心領域（ＲＯＩ）として捉え得る設定視野Ｍｇを算出する。
【００７３】
また、第２のプリセット方法としては、特定の視野位置の初期位置を、例えば、操作者の操作によって、Ｘ線検出器４のＸ線検出領域の全面に対応する領域との位置関係に基づいて記憶回路１２に設定する方式である。具体的には、操作者は、例えば、ノーマル視野に相当する参照画像から、所定の視野サイズに相当する範囲を選択することによって、当該所定の視野サイズに対応する特定の視野位置の初期位置を設定することができる。
【００７４】
次に、以上のように構成されたＸ線診断装置１の動作について、図６のフローチャートおよび図７の表示画像などを用いて説明する。以下の説明は、主に、制御回路１０による視野サイズおよび視野位置に関する設定および制御について述べる。
【００７５】
始めに、寝台の天板６の上に被検体Ｐが載置される。Ｘ線診断装置１は、操作者の操作により、予め設定された検査種別および検査名が選択され、選択された検査種別および検査名に対応付けられた透視条件（Ｘ線条件）を設定する。その後、Ｘ線診断装置１は、操作者の操作により、前述同様にノーマル視野Ｎ０でＸ線透視を開始し、ステップＳＴ１１を開始する。
【００７６】
ステップＳＴ１１において、視野サイズ設定機能１０ａは、操作者の操作により、開始時のノーマル視野Ｎ０の視野サイズに代えて、視野サイズを第１の視野サイズに設定する。なお、第１の視野サイズは、例えば、広視野Ｍ１ｐの視野サイズであるとする。更に、視野サイズ設定機能１０ａは、設定した第１の視野サイズの情報を視野位置復元機能１０ｅへと出力する。このとき、操作者は、例えば、入力インタフェース回路９のスイッチボタンを操作することによって、任意の視野サイズ（或いは、任意の拡大率）を選択する。尚、視野サイズの選択は、視野サイズの切り替えと呼んでもよい。
【００７７】
ステップＳＴ２１では、視野位置復元機能１０ｅは、視野サイズ設定機能１０ａから受けた第１の視野サイズに予め対応付けられた特定の視野位置の初期位置が記憶回路１２に存在するか否かを判定する。特定の視野位置の初期位置が存在する場合には、処理はステップＳＴ２２へと進み、そうでなければ、処理は図３のステップＳＴ１２へと進む。
【００７８】
ステップＳＴ２２において、視野位置復元機能１０ｅは、ステップＳＴ１１により設定された第１の視野サイズに対応付けられた特定の視野位置の初期位置を記憶回路１２から読み出す。これにより、視野位置復元機能１０ｅは、特定の視野位置（の初期位置）を復元する。
【００７９】
具体的には、図７（ａ）に例示されるように、視野位置復元機能１０ｅは、ステップＳＴ１１で設定した広視野Ｍ１ｐの視野サイズに基づき、当該設定した視野サイズに対応付けられた特定の視野位置を復元する。絞り制御機能１０ｃは、視野サイズと、復元した視野位置とに基づいて、Ｘ線可動絞り３ｂを制御する。このとき、広視野Ｍ１ｐの表示画像３１は、ノーマル視野よりも拡大し、且つ、特定の視野位置へ視野が既に移動された画像となる。しかる後、特定の視野位置は、操作者の操作により、適宜、調整されて最終の視野位置になる。
【００８０】
ステップＳＴ２３において、視野サイズ設定機能１０ａは、操作者の操作により、広視野Ｍ１ｐの第１の視野サイズに代えて、視野サイズを第２の視野サイズに設定する。
【００８１】
具体的には、図７（ｂ）に例示されるように、視野サイズ設定機能１０ａは、広視野Ｍ１ｐの視野サイズとは異なる中視野Ｍ２の視野サイズを設定する。絞り制御機能１０ｃは、視野サイズおよび視野位置に基づいて、Ｘ線可動絞り３ｂを制御する。このとき、中視野Ｍ２の表示画像３２は、広視野Ｍ１ｐの表示画像３１の中心に向かって拡大した画像となる。
【００８２】
ステップＳＴ２４において、視野位置設定機能１０ｂは、操作者の操作により、適宜、調整した視野位置を第２の視野位置に設定する。
【００８３】
具体的には、図７（ｃ）に例示されるように、視野位置設定機能１０ｂは、中視野Ｍ２の視野位置を適宜、調整して中視野Ｍ２ａの視野位置を設定する。絞り制御機能１０ｃは、視野サイズと、調整した視野位置とに基づいて、Ｘ線可動絞り３ｂを制御する。このとき、中視野Ｍ２ａの表示画像３３は、中視野Ｍ２の表示画像３２の拡大率を維持したまま、視野位置が移動した画像となる。
【００８４】
ステップＳＴ２５において、視野サイズ設定機能１０ａは、操作者の操作により、視野サイズを第１の視野サイズに再設定する。
【００８５】
ステップＳＴ２６において、視野位置復元機能１０ｅは、視野サイズ設定機能１０ａによる、第１の視野サイズの再設定を契機として、第１の視野サイズに対応付けられた特定の視野位置を記憶回路１２から読み出す。これにより、視野位置復元機能１０ｅは、特定の視野位置を復元する。
【００８６】
具体的には、図７（ｄ）に例示されるように、視野位置復元機能１０ｅは、広視野Ｍ１ｐの視野サイズの再設定を契機として、広視野Ｍ１ｐの視野サイズに対応する特定の視野位置を読み出す。これにより、広視野Ｍ１ｐの特定の視野位置を設定（復元）する。絞り制御機能１０ｃは、視野サイズと、設定した視野位置とに基づいて、Ｘ線可動絞り３ｂを制御する。このとき、広視野Ｍ１ｐの表示画像３４は、広視野Ｍ１ｐの表示画像３１と略同様の画像となる。尚、略同様の画像とは、視野サイズおよび視野位置が略一致している状態で透視（或いは、撮影）された画像を示し、被検体Ｐの動作などに起因する表示画像自体の変化については考慮しないものとする。但し、再設定を契機として読み出される特定の視野位置は、初期位置を調整した場合には、初期位置ではなく、調整した最終の視野位置となる。
【００８７】
ステップＳＴ２７において、視野位置書込機能１０ｄは、視野サイズ設定機能１０ａによる、第２の視野サイズから第１の視野サイズに切り替える再設定を契機として、第２の視野サイズに対応付けて、再設定前の第２の視野位置を記憶回路１２などへ記憶する。
【００８８】
以上説明したように第２の実施形態によれば、Ｘ線診断装置は、記憶部に記憶された各々の視野位置のうち、特定の視野位置については、初期位置を予め設定する。これにより、第１の視野サイズに予め特定の視野位置の初期位置が対応付けられている場合に、第１の視野サイズの設定を契機として、第１の視野サイズに対応付けられた特定の視野位置の初期位置を復元する。そのため、初めて第１の視野サイズを設定するときに特定の視野位置の設定を省略できるため、作業効率の向上や不要被曝の低減が見込まれる。補足すると、第１の実施形態では、検査開始後、視野サイズを初めて選択する場合に、当該視野サイズに対応する視野位置が無いため、画面中央を中心として画像が拡大又は縮小される。これに対し、第２の実施形態によれば、視野サイズに対応する視野位置（初期位置）が予め設定されているため、視野サイズを初めて選択する場合でも、関心領域を中心に画像を拡大できる。
【００８９】
また、第２の実施形態によれば、Ｘ線診断装置は、特定の視野位置の初期位置を、種々の検査に応じた解剖学的な位置関係に基づいて設定する。そのため、操作者の負担を減らすことができる。
【００９０】
また、第２の実施形態によれば、Ｘ線診断装置は、特定の視野位置の初期位置を、Ｘ線検出領域の全面に対応する領域との位置関係に基づいて設定する。そのため、Ｘ線画像（撮影画像または透視画像）を必要とせずに、予め視野位置を設定することができる。
【００９１】
（第３の実施形態）
次に、第３の実施形態に係るＸ線診断装置について説明する。  
第３の実施形態は、第１の実施形態または第２の実施形態の変形例であり、図２Ｃに示したように、ある視野サイズに対して複数の視野位置を対応付けて記憶する構成となっている。なお、図示しないが、各々の視野サイズに対応付ける視野位置の個数は、視野サイズ毎に同一でもよく、異なっていてもよい。例えば、ある２つの視野サイズの各々には、それぞれ１つの視野位置を対応付けており、別の２つの視野サイズの各々には、それぞれ３つの視野位置を対応付けていてもよい。
【００９２】
視野位置書込機能１０ｄは、操作者の操作によって、所定の視野サイズと複数の所定の視野位置とを対応付けて記憶回路１２などに記憶してもよい。このとき、操作者は、例えば、入力インタフェース回路９の任意のスイッチボタンを操作することによって、設定中の視野サイズと視野位置とを対応付けて記憶させる。
【００９３】
また、記憶させる方法は、透視時の操作中に限らず、ノーマル視野に相当する参照画像から、所定の視野サイズに相当する範囲を複数選択することによって、当該所定の視野サイズと複数の所定の視野位置とを対応付けて記憶させてもよい。具体的には、図８に例示されるように、視野位置書込機能１０ｄは、操作者の操作によって、参照画像５１から中視野Ｍ２に相当する範囲を順番に選択することによって、所定の視野サイズと複数の所定の視野位置（中視野Ｍ２ａ，Ｍ２ｂ，Ｍ２ｃ）とを対応付けて記憶回路１２へと記憶する。
【００９４】
視野位置復元機能１０ｅは、前述した機能に加え、所定の視野サイズが連続して設定される毎に、当該所定の視野サイズに対応する複数の視野位置のうちの１つを記憶回路１２から巡回的に読み出す機能をもっている。具体的には、例えば、視野位置復元機能１０ｅは、第２の視野サイズ（中視野Ｍ２に対応）による表示中に、同じ視野サイズが設定されたことを契機として、中視野Ｍ２ａ，Ｍ２ｂ，Ｍ２ｃを循環して復元する。同じ視野サイズを設定する方法として、操作者は、例えば、入力インタフェース回路９の視野サイズの変更に対応したスイッチボタンを操作してもよいし、入力インタフェース回路９のタッチパッドにより参照画面に表示された複数の所定の視野位置を選択してもよいし、入力インタフェース回路９の音声認識用マイクにより参照画面に表示された複数の所定の視野位置を音声で指示してもよい。
【００９５】
処理回路１１は、Ｘ線検出領域の全面に対応する参照画像であって、設定された視野サイズに対応する一つ以上の視野の位置を示す参照画像を生成してもよい。具体的には、処理回路１１は、例えば、Ｘ線検出領域の全面（ノーマル視野）に対応する視野サイズで予め取得されたＸ線画像を用い、当該Ｘ線画像上に、当該設定された視野サイズに対応する視野を表した一つ以上の枠線を重畳することによって参照画像を生成する。より具体的には、図８に例示されるように、処理回路１１は、参照画像５１において、中視野Ｍ２ａ，Ｍ２ｂ，Ｍ２ｃを示す枠線を表示してもよい。
【００９６】
また、処理回路１１は、参照画像上に重畳している枠線の線種を変更する処理を行ってもよい。具体的には、図９に例示されるように、処理回路１１は、参照画像６１上に重畳して表示している枠線（中視野Ｍ２ａ，Ｍ２ｂ，Ｍ２ｃ）を、選択されている視野（中視野Ｍ２ａ）には実線、選択されていない視野（中視野Ｍ２ｂ，Ｍ２ｃ）には破線で表す。換言すると、処理回路１１は、設定中の視野サイズに対応する視野を表した枠線と、それ以外の枠線との線種を異ならせる処理を行う。これにより、複数の視野位置のうちの現在選択されている視野を明示できる。
【００９７】
表示回路１３のディスプレイは、参照画像と透視画像（ライブ画像）とを並べて表示ウィンドウに表示してもよい。具体的には、ディスプレイは、図９に例示されるように、表示ウィンドウ６０に、参照画像６１とライブ画像６２とを並べて表示する。ライブ画像６２は、参照画像６１において選択されている中視野Ｍ２ａが拡大されて表示されている。但し、前述した参照画像５１，６１は、任意の付加的事項であり、省略してもよい。例えば、参照画像６１を省略した場合、参照画像６１が無い表示ウィンドウ６０において、所定の視野サイズが連続して設定される毎に、当該所定の視野サイズに対応するライブ画像６２が巡回的に表示される。
【００９８】
次に、以上のように構成されたＸ線診断装置１の動作について、図１０のフローチャートおよび図８および図９の参照画像などを用いて説明する。以下の説明は、主に、制御回路１０による視野サイズおよび視野位置に関する設定および制御について述べる。
【００９９】
始めに、寝台の天板６の上に被検体Ｐが載置される。Ｘ線診断装置１は、操作者の操作により、予め設定された検査種別および検査名が選択され、選択された検査種別および検査名に対応付けられた透視条件（Ｘ線条件）を設定する。その後、Ｘ線診断装置１は、操作者の操作により、前述同様にノーマル視野Ｎ０でＸ線透視を開始し、適宜、Ｘ線透視の静止画像を参照画像５１，６１に用いるＸ線画像として予め取得しておく。このＸ線画像は、適宜、記憶回路１２に保存される。しかる後、ステップＳＴ３１を開始する。
【０１００】
ステップＳＴ３１において、視野サイズ設定機能１０ａは、操作者の操作により、視野サイズを第１の視野サイズに設定する。更に、視野サイズ設定機能１０ａは、設定した第１の視野サイズの情報を視野位置設定機能１０ｂへと出力する。このとき、操作者は、例えば、入力インタフェース回路９のスイッチボタンを操作することによって、任意の視野サイズ（或いは、任意の拡大率）を選択する。尚、視野サイズの選択は、視野サイズの切り替えと呼んでもよい。
【０１０１】
ステップＳＴ３２において、視野位置設定機能１０ｂは、操作者の操作により、第１の視野サイズに対応する視野位置を記憶回路１２から読み出し、適宜、調整した視野位置を第１の視野位置に設定する。なお、第１の視野サイズに対応する視野位置の初期値としては、例えば、ノーマル視野Ｎ０の中心位置としてもよい。また、調整のとき、操作者は、例えば、入力インタフェース回路９のジョイスティックを操作することによって、所望の位置（関心領域）へ視野を移動させる。具体的には、図８に例示されるように、視野位置設定機能１０ｂは、操作者の操作に応じて、中視野Ｍ２ａの視野位置を調整および設定する。なお、読み出した視野位置は、調整せずに設定してもよい。
【０１０２】
ステップＳＴ３３において、視野位置書込機能１０ｄは、操作者の操作により、第１の視野サイズと第１の視野位置とを対応付けて記憶回路１２などへ記憶する。このとき、操作者は、例えば、入力インタフェース回路９のスイッチボタンを操作することによって、設定中の視野サイズ（第１の視野サイズ）と第１の視野位置とを対応付けて記憶させる。
【０１０３】
ステップＳＴ３４において、視野位置設定機能１０ｂは、操作者の操作により、視野位置を第２の視野位置に設定する。具体的には、図８に例示されるように、視野位置設定機能１０ｂは、操作者の操作に応じて、中視野Ｍ２ａの視野位置を調整し、得られた中視野Ｍ２ｂの視野位置を設定する。
【０１０４】
ステップＳＴ３５において、視野位置書込機能１０ｄは、操作者の操作により、第１の視野サイズと第２の視野位置とを対応付けて記憶回路１２などへ記憶する。これにより、記憶回路１２は、第１の視野サイズに対応付けて、２つの視野位置（第１および第２の視野位置）を記憶する。
【０１０５】
ステップＳＴ３６において、視野位置設定機能１０ｂは、操作者の操作により、視野位置を第３の視野位置に設定する。具体的には、図８に例示されるように、視野位置設定機能１０ｂは、操作者の操作に応じて、中視野Ｍ２ｂの視野位置を調整し、得られた中視野Ｍ２ｃの視野位置を設定する。
【０１０６】
ステップＳＴ３７において、視野位置書込機能１０ｄは、操作者の操作により、第１の視野サイズと第３の視野位置とを対応付けて記憶回路１２などへ記憶する。これにより、記憶回路１２は、第１の視野サイズに対応付けて、３つの視野位置（第１乃至第３の視野位置）を記憶する。
【０１０７】
ステップＳＴ３８において、処理回路１１は、設定された第１の視野サイズに対応する３つの中視野Ｍ２ａ，Ｍ２ｂ，Ｍ２ｃの位置を示す当該参照画像６１を生成する。具体的には、処理回路１１は、図９に示したように、ノーマル視野Ｎ０の視野サイズで予め取得されたＸ線画像を用い、当該Ｘ線画像上に、第１の視野サイズに対応する中視野Ｍ２ａ，Ｍ２ｂ，Ｍ２ｃを表した３つの枠線を重畳することによって参照画像６１を生成する。このとき、処理回路１１は、設定中の第１の視野サイズに対応する中視野Ｍ２ａを表した枠線と、それ以外の枠線との線種を異ならせる処理を行う。また、絞り制御機能１０ｃは、視野サイズおよび視野位置に基づいて、Ｘ線可動絞り３ｂを制御する。これにより、視野位置に対応するライブ画像６２が参照画像６１に並べて表示される。
【０１０８】
ステップＳＴ３９において、操作者の操作により、第１の視野サイズが連続して設定されたとする。このとき、視野位置復元機能１０ｅは、第１の視野サイズが連続して設定される毎に、第１の視野サイズに対応する３つの視野位置のうちの１つを記憶回路１２から巡回的に読み出す。すなわち、広視野Ｍ２ａの視野位置、広視野Ｍ２ｂの視野位置、広視野Ｍ２ｃの視野位置が、巡回するように読み出される（Ｍ２ａ→Ｍ２ｂ→Ｍ２ｃ→Ｍ２ａ→Ｍ２ｂ→Ｍ２ｃ→Ｍ２ａ→・・・）。
【０１０９】
これにより、第１の視野サイズが設定されると、例えば、広視野Ｍ２ａの視野位置が復元される。続いて、第１の視野サイズが設定されると、広視野Ｍ２ｂの視野位置が復元される。続いて、第１の視野サイズが設定されると、広視野Ｍ２ｃの視野位置が復元される。更に、第１の視野サイズが設定されると、広視野Ｍ２ａの視野位置が復元される。以下、同様に、第１の視野サイズが設定される毎に、視野サイズに対応する３つの視野位置のうちの１つが巡回的に復元される。また、これに伴い、絞り制御機能１０ｃは、視野サイズと、復元した視野位置とに基づいて、Ｘ線可動絞り３ｂを制御する。よって、視野位置に対応するライブ画像６２が巡回的に表示される。
【０１１０】
以上説明したように第３の実施形態によれば、Ｘ線診断装置は、所定の視野サイズと複数の視野位置とを対応付けて記憶する。Ｘ線診断装置は、所定の視野サイズが連続して設定される毎に、所定の視野サイズに対応する複数の視野位置のうちの１つを記憶部から巡回的に読み出す。そのため、関心領域が複数ある場合でも、簡便に視野を変更することができる。
【０１１１】
また、第３の実施形態によれば、Ｘ線診断装置は、Ｘ線検出領域の全面に対応する参照画像であって、設定された視野サイズに対応する一つ以上の視野の位置を示す当該参照画像を生成する。そのため、ノーマル視野に対する複数の視野位置を容易に確認することができる。
【０１１２】
また、第３の実施形態によれば、Ｘ線診断装置は、Ｘ線検出領域の全面に対応する視野サイズで予め取得されたＸ線画像を用い、当該Ｘ線画像上に、設定された視野サイズに対応する視野を表した一つ以上の枠線を重畳することによって参照画像を生成する。そのため、ノーマル視野に対する複数の視野位置を容易に視認することができる。
【０１１３】
また、第３の実施形態によれば、Ｘ線診断装置は、設定中の視野サイズに対応する視野を表した枠線と、それ以外の枠線との線種を異ならせる処理を行う。これにより、表示中のＸ線画像（撮影画像または透視画像）が、ノーマル視野のどこに位置しているかを容易に判別することができる。
【０１１４】
上記説明において用いた「プロセッサ」という文言は、例えば、ＣＰＵ、ＧＰＵ（Ｇｒａｐｈｉｃｓ  Ｐｒｏｃｅｓｓｉｎｇ  Ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｌｅｘ  Ｐｒｏｇｒａｍｍａｂｌｅ  Ｌｏｇｉｃ  Ｄｅｖｉｃｅ：ＣＰＬＤ）、およびフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【０１１５】
プロセッサは、記憶回路に保存されたプログラムを読み出して実行することで、各種機能を実現する。尚、記憶回路にプログラムを保存する代わりに、プロセッサの回路内にプログラムを直接組み込むように構成してもよい。この場合、プロセッサは、回路内に組み込まれたプログラムを読み出して実行することで、各種機能を実現する。
【０１１６】
なお、本実施形態の各プロセッサは、プロセッサごとに単一の回路として構成される場合に限らず、複数の独立した回路を組み合わせて１つのプロセッサとして構成し、その各種機能を実現するようにしてもよい。更に、複数の構成要素を１つのプロセッサへ統合してその機能を実現するようにしてもよい。
【０１１７】
各実施形態における記憶回路１２は、特許請求の範囲における記憶部の一例である。各実施形態における視野サイズ設定機能１０ａは、特許請求の範囲における視野サイズ設定部の一例である。各実施形態における視野位置設定機能１０ｂおよび視野位置復元機能１０ｅは、特許請求の範囲における調整部の一例である。各実施形態における絞り制御機能１０ｃは、特許請求の範囲における制御部の一例である。各実施形態における視野位置書込機能１０ｄは、特許請求の範囲における書込部の一例である。各実施形態における処理回路１１（または制御回路１０）は、特許請求の範囲における初期位置設定部の一例である。各実施形態における処理回路１１は、特許請求の範囲における処理部の一例である。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１…Ｘ線診断装置、２…Ｘ線高電圧装置、３…Ｘ線源装置、３ａ…Ｘ線管、３ｂ…Ｘ線可動絞り、４…Ｘ線検出器、５…サポートフレーム、６…天板、７…画像発生回路、８…通信インタフェース回路、９…入力インタフェース回路、１０…制御回路、１１…処理回路、１２…記憶回路、２１，２２，２３，２４，２５，３１，３２，３３，３４…表示画像、４１，５１，６１…参照画像、６０…表示ウィンドウ、６２…ライブ画像、ＣＲ…基準マーカ、Ｅ…内視鏡、Ｍ１，Ｍ１ａ，Ｍ１ｐ…広視野、Ｍ２，Ｍ２ａ，Ｍ２ｂ，Ｍ２ｃ…中視野、Ｍｇ…設定視野、ｐＶ…ファーター乳頭。
【図１】
2019005345.tif 000003
【図２Ａ】
2019005345.tif 000004
【図２Ｂ】
2019005345.tif 000005
【図２Ｃ】
2019005345.tif 000006
【図３】
2019005345.tif 000007
【図４】
2019005345.tif 000008
【図５Ａ】
2019005345.tif 000009
【図５Ｂ】
2019005345.tif 000010
【図６】
2019005345.tif 000011
【図７】
2019005345.tif 000012
【図８】
2019005345.tif 000013
【図９】
2019005345.tif 000014
【図１０】
2019005345.tif 000015